(57)【要約】【課題】電磁波が外部に漏洩する心配が無いシールドコネクタを提供する。【解決手段】コネクタ１０は、シールドケーブル１の端末に取り付けできる。コネクタ１０は、複数のコンタクト１１、インナーハウジング２、及び、シェル３を備える。コンタクト１１は、芯線１ａを結線している。インナーハウジング２は、複数のコンタクト１１を実装している。シェル３は、インナーハウジング２の周囲を覆っている。インナーハウジングは、外周から窪んだ窪み部２ｄを有し、シェル３は、窪み部２ｄに嵌合できる突部３ｂを有する。突部３ｂが窪み部２ｄに嵌合することで、シェル３に対して、インナーハウジング２の軸方向の位置決めを規定できる。窪み部２ｄは、シェル３の外周を密閉しているので、シェル３の外周から電磁波が漏洩する心配が無い。【選択図】図２
2019200898.tif 000002
【特許請求の範囲】
【請求項１】
芯線を絶縁被覆した一つ以上の電線、この電線を覆う編組線、及び、前記編組線を被覆する絶縁シースを備えるシールドケーブルの端末に取り付けできるシールドコネクタであって、
前記芯線を結線するコンタクトと、
これらのコンタクトを実装する円柱状のインナーハウジングと、
このインナーハウジングの周囲を覆う円筒状のシェルと、を備え、
前記インナーハウジングは、その外周から窪んだ一つ以上の窪み部を有し、
前記シェルは、その外周から内周側に突出し、前記窪み部に嵌合できる一つ以上の突部を有し、
前記突部が前記窪み部に嵌合することで、前記シェルに対して、前記インナーハウジングの軸方向の位置決めを規定できる、シールドコネクタ。
【請求項２】
前記インナーハウジングは、対向配置された一対の前記窪み部を有している、請求項１記載のシールドコネクタ。
【請求項３】
前記シールドケーブルは、芯線を絶縁被覆した複数の電線、これらの電線を束ねた状態で覆う編組線、及び、編組線を被覆する絶縁シースからなり、
前記芯線を結線する複数のコンタクトを備えている、請求項１又は２記載のシールドコネクタ。
【請求項４】
前記インナーハウジングは、その軸方向に沿って、前面から後面に向けて切り欠いたキー溝を有し、
前記シェルは、その内周から中心部に向って突出し、前記キー溝に噛み合うことで、前記シェルに対して、前記インナーハウジングの軸回りの位置を規定するキーを有している、請求項３記載のシールドコネクタ。
【請求項５】
前記シェルは、
前記編組線を圧着する第１圧着部と、
前記第１圧着部に連続し、前記絶縁シースを圧着する第２圧着部と、を基端部側に有している、請求項１から４のいずれかに記載のシールドコネクタ。
【発明の詳細な説明】
【技術分野】
【０００１】
本発明は、シールドコネクタに関する。特に、芯線を絶縁被覆した一つ以上の電線、電線を覆う編組線、及び、編組線を被覆する絶縁シースを備えるシールドケーブルの端末に取り付けできるシールドコネクタの構造に関する。
【背景技術】
【０００２】
シールド線は、導線を伝送する電気信号を不要な電磁波から遮断できる。このようなシールド線の代表的なものとしては、シールドケーブルの一種である同軸ケーブルが知られている。同軸ケーブルは、一般に、芯線（導線）、芯線を囲う絶縁体の一種である誘電体、誘電体を覆う編組線、及び、編組線を被覆する絶縁シースで構成している。
【０００３】
近年、自動車に実装された電気機器などに電気信号を伝送するワイヤハーネスには、ノイズの影響を受け難く、高周波信号を伝送可能なことから、シールドケーブルの端末に取り付けたシールドコネクタがよく使用されている。
【０００４】
例えば、このようなシールドコネクタは、芯線を結線するコンタクト、コンタクトを内部に実装した円柱状のインナーハウジング、及び、インナーハウジングの周囲を覆う円筒状のシェルで構成している（例えば、特許文献１参照）。
【先行技術文献】
【特許文献】
【０００５】
【特許文献１】特開２００８−２７８８１号公報
【発明の概要】
【発明が解決しようとする課題】
【０００６】
図８は、従来技術によるシールドコネクタに備わるシェルの構成を示す縦断面図であり、シェルの圧着部を圧着する前の状態図である。
【０００７】
図９は、従来技術によるシールドコネクタの構成を示す縦断面図であり、シェルの圧着部を圧着した状態図である。なお、本願の図８と図９は、特許文献１の図１と図４に相当している。
【０００８】
図９を参照すると、従来技術によるシールドコネクタ９は、シールドケーブルＣｂの端末に取り付けられている。シールドケーブルＣｂは、単線又は撚線からなる円形の芯線Ｗｃ、芯線Ｗｃの周囲を囲う絶縁体の一種である誘電体Ｄｉ、誘電体Ｄｉの周囲を囲う編組線Ｗｂ、及び、編組線Ｗｂを被覆保護する絶縁シースＷｉで構成している。図９を参照して、シールドケーブルＣｂは、各構成部材がそれらの端末から所定の剥離長で予め剥離されている。つまり、シールドケーブルＣｂは、端末処理されている。
【０００９】
図８又は図９を参照すると、シールドコネクタ９は、コンタクト９１、円柱状のインナーハウジング９２、及び、円筒状のシェル９３を備えている。コンタクト９１は、芯線Ｗｃを固定している。コンタクト９１は、圧着部９１ａを基端部側に有し、接続部９１ｂを先端部側に有している。圧着部９１ａは、コンダクタバレルで構成している。コンダクタバレルは、芯線Ｗｃを圧着することで、コンタクト９１と芯線Ｗｃを電気的に接続可能に結線できる。
【００１０】
図９を参照すると、コンタクト９１の接続部９１ｂは、円筒状に形成している。接続部９１ｂには、図示しない相手側コネクタに配置したピン状の雄コンタクトを接続部９１ｂの前面開口から相対的に導入できる。そして、図示しない相手側コネクタの雄コンタクトとコンタクト９１を電気的に接続できる。図９では、コンタクト９１を雌コンタクトとして開示しているが、コンタクト９１は、ピン状の雄コンタクトで構成することもできる。
【００１１】
図９を参照すると、インナーハウジング９２は、絶縁性を有する合成樹脂からなり、絶縁性を有する合成樹脂を成形して、円筒形状のインナーハウジング９２を得ることができる。
【００１２】
図９を参照すると、インナーハウジング９２は、コンタクト収容穴９２ｈを内部に形成している。コンタクト収容穴９２ｈの前部側からは、図示しない相手側コンタクトを導入できる。コンタクト収容穴９２ｈの後部側からは、芯線Ｗｃを結線した状態で、コンタクト９１を導入できる。
【００１３】
図９を参照すると、コンタクト９１をコンタクト収容穴９２ｈに収容した状態では、接続部９１ｂは、コンタクト収容穴９２ｈの前面開口に臨んで配置されている。これにより、図示しない相手側コンタクトをコンタクト９１に導入できる。
【００１４】
又、図９を参照すると、インナーハウジング９２は、後述するシェル９３の円筒部９３ｂに保持されている。そして、インナーハウジング９２は、コンタクト９１とシェル９３を電気的に絶縁している。
【００１５】
図８又は図９を参照すると、シェル９３は、導電性を有する金属製の展開板を成形している。そして、シェル９３は、圧着部９３ａと円筒部９３ｂを有している。円筒部９３ｂは、内部に空洞を有する円筒状に形成している。円筒部９３ｂは、その前面開口からインナーハウジング９２を導入できる。そして、インナーハウジング９２を円筒部９３ｂに導入した状態では、インナーハウジング９２の周囲を円筒部９３ｂでシールド可能に覆うことができる（図９参照）。
【００１６】
図８又は図９を参照すると、圧着部９３ａは、コンダクタバレル９３１とインシュレーションバレル９３２を含んでいる。コンダクタバレル９３１は、編組線Ｗｂを圧着することで、編組線Ｗｂとシェル９３を電気的に接続できる。インシュレーションバレル９３２は、絶縁シースＷｉを圧着することで、シールドコネクタ９をシールドケーブルＣｂの端末に固定できる。
【００１７】
図８又は図９を参照すると、シェル９３は、円筒部９３ｂの内部に向って屈曲したランス９３ｒを有している。円筒部９３ｂの前面開口からインナーハウジング９２を導入すると、インナーハウジング９２の外周に押されて、ランス９３ｒを弾性変形できる。インナーハウジング９２が円筒部９３ｂの奥部に到達すると、ランス９３ｒが弾性復帰して、インナーハウジング９２の凹部９２ｄに係合することで、インナーハウジング９２をシェル９３の内部に保持できる。又、シェル９３に対して、インナーハウジング９２の軸方向の位置決めを規定できる。
【００１８】
しかし、シールドケーブルの内部に配置された芯線又は電線に伝送する信号が高周波になると、ランスを介して、電磁波が漏洩する心配がある。又、ランスを介して、不要な電磁波が電線に侵入する心配がある。このように、従来技術によるシールドコネクタは、シェルの外周の開口したランスを有しているので、ＥＭＣ（電磁界適合性）の性能に影響を与える心配があった。
【００１９】
シェルの外周から電磁波が漏洩又は進入する心配がなく、シェルに対して、インナーハウジングの軸方向の位置決めを規定できる、シールドコネクタが求められている。そして、以上のことが本発明の課題といってよい。
【００２０】
本発明は、このような課題に鑑みてなされたものであり、シェルの外周から電磁波が漏洩又は進入する心配がなく、シェルに対して、インナーハウジングの軸方向の位置決めを規定できる、丸形のシールドコネクタを提供することを目的とする。
【課題を解決するための手段】
【００２１】
本発明者らは、芯線を絶縁被覆した電線に接続した一つ以上のコンタクトが実装された円柱状のインナーハウジングと、インナーハウジングの周囲を覆う円筒状のシェルでシールドコネクタを構成し、インナーハウジングには、その外周から窪んだ一つ以上の窪み部を設け、シェルには、その外周から内周側に突出した一つ以上の突部を設け、インナーハウジングをシェルの内部に挿入すると、突部が窪み部に嵌合することで、シェルに対して、インナーハウジングの軸方向の位置決めを規定できると共に、シェルの外周から電磁波が漏洩又は浸入する心配が無くなると考え、これに基づいて以下のような新たなシールドコネクタを発明するに至った。
【００２２】
（１）本発明によるシールドコネクタは、芯線を絶縁被覆した一つ以上の電線、この電線を覆う編組線、及び、前記編組線を被覆する絶縁シースを備えるシールドケーブルの端末に取り付けできるシールドコネクタであって、前記芯線を結線するコンタクトと、これらのコンタクトを実装する円柱状のインナーハウジングと、このインナーハウジングの周囲を覆う円筒状のシェルと、を備え、前記インナーハウジングは、その外周から窪んだ一つ以上の窪み部を有し、前記シェルは、その外周から内周側に突出し、前記窪み部に嵌合できる一つ以上の突部を有し、前記突部が前記窪み部に嵌合することで、前記シェルに対して、前記インナーハウジングの軸方向の位置決めを規定できる。
【００２３】
（２）前記インナーハウジングは、対向配置された一対の前記窪み部を有していることが好ましい。
【００２４】
（３）前記シールドケーブルは、芯線を絶縁被覆した複数の電線、これらの電線を束ねた状態で覆う編組線、及び、編組線を被覆する絶縁シースからなり、前記芯線を結線する複数のコンタクトを備えていてもよい。
【００２５】
（４）前記インナーハウジングは、その軸方向に沿って、前面から後面に向けて切り欠いたキー溝を有し、前記シェルは、その内周から中心部に向って突出し、前記キー溝に噛み合うことで、前記シェルに対して、前記インナーハウジングの軸回りの位置を規定するキーを有していることが好ましい。
【００２６】
（５）前記シェルは、前記編組線を圧着する第１圧着部と、前記第１圧着部に連続し、前記絶縁シースを圧着する第２圧着部と、を基端部側に有していることが好ましい。
【発明の効果】
【００２７】
本発明によるシールドコネクタは、電線を接続した一つ以上のコンタクトが実装された円柱状のインナーハウジングと、インナーハウジングの周囲を覆う円筒状のシェルを備え、インナーハウジングには、その外周から窪んだ一つ以上の窪み部を設け、シェルには、その外周から内周側に突出した一つ以上の突部を設け、インナーハウジングをシェルの内部に挿入すると、突部が窪み部に嵌合することで、シェルに対して、インナーハウジングの軸方向の位置決めを規定できると共に、シェルの外周から電磁波が漏洩又は浸入する心配が無くなる。
【図面の簡単な説明】
【００２８】
【図１】本発明の一実施形態によるシールドコネクタの構成を示す斜視図である。
【図２】前記実施形態によるシールドコネクタの構成を示す斜視分解組立図である。
【図３】前記実施形態によるシールドコネクタの構成を示す斜視図であり、シールドコネクタに備わるシェルを組み込む前の状態図である。
【図４】前記実施形態によるシールドコネクタの構成を示す図であり、図４（Ａ）は、シールドコネクタの正面図、図４（Ｂ）は、シールドコネクタの右側面図、図４（Ｃ）は、図４（Ａ）のＡ−Ａ矢視断面である。
【図５】前記実施形態によるシールドコネクタに備わるシェルの構成を示す図であり、図５（Ａ）は、シェルの正面図、図５（Ｂ）は、シェルの右側面図、図５（Ｃ）は、シェルの平面図、図５（Ｄ）は、シェルの下面図である。
【図６】前記実施形態によるシールドコネクタに備わるインナーハウジングの構成を示す図であり、図６（Ａ）は、インナーハウジングの正面図、図６（Ｂ）は、インナーハウジングの右側面図、図６（Ｃ）は、インナーハウジングの背面図、図６（Ｄ）は、インナーハウジングの平面図、図６（Ｅ）は、インナーハウジングの下面図、図６（Ｆ）は、インナーハウジングの斜視図である。
【図７】前記実施形態によるシールドコネクタの組立工程を示す図であり、図７（Ａ）は、シールドケーブルを端末処理する前の状態図、図７（Ｂ）は、絶縁シースを端面から所定の長さで剥離した後に、編組線の外周にフェルールを巻き付けた状態図、図７（Ｃ）は、編組線の外周にフェルールを圧着した状態図、図７（Ｄ）は、フェルールの外周に編組線を折り返した状態図、図７（Ｅ）は、電線の被覆を電線の端面から所定の長さで剥離した状態図、図７（Ｆ）は、コンタクトの圧着部を芯線に圧着する前の状態図、図７（Ｇ）は、コンタクトの圧着部を芯線に圧着した状態図、図７（Ｈ）は、複数のコンタクトをインナーハウジングに実装し、シェルの後部からインナーハウジングを挿入した状態図、図７（Ｊ）は、一連の組立工程が完了した状態図である。
【図８】従来技術によるシールドコネクタに備わるシェルの構成を示す縦断面図であり、シェルの圧着部を圧着する前の状態図である。
【図９】従来技術によるシールドコネクタの構成を示す縦断面図であり、シェルの圧着部を圧着した状態図である。
【発明を実施するための形態】
【００２９】
以下、図面を参照して本発明を実施するための形態を説明する。
［シールドコネクタの構成］
最初に、本発明の一実施形態によるシールドコネクタの構成を説明する。
【００３０】
（全体構成）
図１から図４を参照すると、本発明の一実施形態によるシールドコネクタ（以下、コネクタと略称する）１０は、シールドケーブル１の端末に取り付けできる。シールドケーブル１は、複数の電線１ｗ、編組線１ｂ、及び、絶縁シース１ｃを備えている。電線１ｗは、芯線１ａを絶縁被覆している。編組線１ｂは、複数の電線１ｗを束ねた状態で覆っている。絶縁シース１ｃは、編組線１ｂを被覆している。（図２から図４を参照）。
【００３１】
図１から図６を参照すると、コネクタ１０は、複数のコンタクト１１、円柱状のインナーハウジング２、及び、円筒状のシェル３を備えている。コンタクト１１は、芯線１ａを結線している（図２又は図７（Ｇ）参照）。インナーハウジング２は、複数のコンタクト１１を内部に実装している（図３又は図７（Ｈ）参照）。シェル３は、インナーハウジング２の周囲を覆っている（図１又は図３（Ｃ）参照）。
【００３２】
図２又は図３及び図６を参照すると、インナーハウジング２は、その外周から窪んだ一対の窪み部２ｄ・２ｄを形成している。一対の窪み部２ｄ・２ｄは、対向配置されている。シェル３は、その外周から内周側に突出した一対の突部３ｂ・３ｂを有している（図１又は図４及び図５（Ｃ）参照）。
【００３３】
図３に示した状態から、インナーハウジング２をシェル３の内部に挿入すると、突部３ｂが窪み部２ｄに嵌合することで、シェル３に対して、インナーハウジング２の軸方向の位置決めを規定できる（図４（Ｃ）参照）。
【００３４】
図１から図６を参照すると、実施形態によるコネクタ１０は、シェル３に対して、インナーハウジング２の軸方向の位置決めの規定する窪み部２ｄがシェル３の外周を密閉しているので、シェル３の外周から電磁波が漏洩又は進入する心配が無い。
【００３５】
（コンタクトの構成）
次に、実施形態によるコンタクト１１の構成を説明する。図３を参照すると、コンタクト１１は、電線１ｗの端末に固定されている。コンタクト１１は、圧着部１１ａを基端部側に有し、接続部１１ｂを先端部側に有している。圧着部１１ａは、コンダクタバレルで構成している。コンダクタバレルは、芯線１ａを圧着することで、コンタクト１１と電線１ｗを電気的に接続可能に結線できる。
【００３６】
図３を参照すると、接続部１１ｂは、円筒状に形成している。接続部１１ｂには、図示しない相手側コネクタに配置されたピン状の雄コンタクトを接続部１１ｂの前面開口から相対的に導入できる。そして、図示しない相手側コネクタの雄コンタクトとコンタクト１１を電気的に接続できる。図３では、コンタクト１１を雌コンタクトとして開示しているが、コンタクト１１は、ピン状の雄コンタクトで構成することもできる。
【００３７】
図３を参照すると、コンタクト１１は、導電性を有する金属板からなり、導電性を有する金属性の展開板を成形して、円筒状のコンタクトを得ることができる。コンタクト１１は、導電性を有する金属棒を加工して、円筒状のコンタクトを得ることもできる。
【００３８】
（インナーハウジングの構成）
次に、実施形態によるインナーハウジング２の構成を説明する。図２又は図３及び図４（Ｃ）又は図６を参照すると、インナーハウジング２は、絶縁性を有する合成樹脂からなり、絶縁性を有する合成樹脂を成形して、所望の形状のインナーハウジング２を得ることができる。
【００３９】
図２又は図３及び図６を参照すると、インナーハウジング２は、四つのコンタクト収容穴２ｈを開口している。コンタクト収容穴２ｈの前部側からは、図示しない相手側コンタクトを導入できる。コンタクト収容穴２ｈの後部側からは、電線１ｗを結線した状態で、コンタクト１１を導入できる。
【００４０】
図３を参照して、コンタクト１１をコンタクト収容穴２ｈに収容した状態では、接続部１１ｂは、コンタクト収容穴２ｈの前面開口に臨んで配置されている。又、コンタクト収容穴２ｈは、インナーハウジング２の外周側に一部を除いて、開口している。これにより、インナーハウジング２に対してコンタクト１１の収容状態を確認できる。
【００４１】
図２又は図３及び図６を参照すると、インナーハウジング２は、方形のキー溝２ｋを外周に形成している。キー溝２ｋは、インナーハウジング２の軸方向に沿って、前面から後面に向けて切り欠いている。
【００４２】
一方、図４（Ａ）を参照すると、シェル３は、その内周から中心部に向って突出したキー３ｋを有している。図２又は図３を参照して、インナーハウジング２をシェル３の後部からシェル３の内部に挿入すると、キー３ｋがキー溝２ｋに噛み合うことで、シェル３に対して、インナーハウジング２の軸回りの位置を規定できる。これにより、コネクタ１０を図示しない相手側コネクタと正しく接続できる。
【００４３】
（シェルの構成）
次に、実施形態によるシェル３の構成を説明する。図１又は図２及び図４又は図５を参照すると、シェル３は、導電性を有する金属板からなり、導電性を有する金属製の展開板を成形して筒状に形成している。
【００４４】
図１又は図２及び図４又は図５を参照すると、シェル３は、接続部３１、一組の輪帯３２・３２、及び、圧着部３３を連続して形成している。接続部３１は、シェル３の先端部側に形成している。接続部３１は、図示しない相手側コネクタの筒状シェルと接続できる。接続部３１は、一つ以上の切り込みを外周に切り欠いたオープンエントリで構成しているが、接続部３１は、外周が連続したクローズドエントリで構成とすることもできる。
【００４５】
図１又は図２及び図４又は図５を参照すると、一組の輪帯３２・３２は、シェル３の中間部に形成している。輪帯３２は、シェル３の外周方向に突出している。図示しない外部ハウジングの内部に、シェル３を挿入し、先端部側にＵ字状のスロットを形成した平板状の位置決め保証部材（図示せず）を図示しない外部ハウジングから挿入し、位置決め保証部材（図示せず）の先端部側を一組の輪帯３２・３２の間に挿入することで、図示しない外部ハウジングに対して、シェル３の軸方向の位置決めを保証できる。
【００４６】
図１又は図２及び図４又は図５を参照すると、圧着部３３は、シェル３の基端部側に形成している。圧着部３３は、第１圧着部３３１と第２圧着部３３２に区分することができる。第２圧着部３３２は、第１圧着部３３１に連続している。なお、図２と図５は、圧着部３３を圧着前の状態を示し、図１と図４は、圧着部３３を圧着後の状態を示している。
【００４７】
図４（Ｃ）を参照すると、第１圧着部３３１は、編組線１ｂを圧着している。これにより、シェル３と編組線１ｂを電気的に接続できる。第２圧着部３３２は、絶縁シース１ｃを圧着している。これによりコネクタ１０をシールドケーブル１の端末に固定できる。
【００４８】
（シールドコネクタの組立方法）
次に、実施形態によるコネクタ１０の組立方法を説明する。最初に、図７（Ａ）に示したシールドケーブル１を端末処理する。図７（Ｂ）を参照して、シールドケーブル１の端面から絶縁シース１ｃを所定の長さで剥離すると共に、編組線１ｂの上から帯状の金属スリーブ１２を巻き付ける。次に、図７（Ｃ）を参照して、編組線１ｂの上から金属スリーブ１２を圧着する。
【００４９】
次に、図７（Ｄ）を参照して、編組線１ｂを金属スリーブ１２の外周に折り返す。次に、図７（Ｅ）を参照して、電線１ｗの端面から被覆を所定の長さで剥離し、芯線１ａを露出する。以上でシールドケーブル１の端末処理を終了する。次に、図７（Ｆ）を参照して、芯線１ａをコンタクト１１の圧着部１１ａに挿通する。次に、図７（Ｇ）を参照して、圧着部１１ａを芯線１ａに圧着する。
【００５０】
次に、図７（Ｈ）を参照して、複数のコンタクト１１をインナーハウジング２に実装する。次に、図７（Ｈ）に示した状態から、インナーハウジング２をシェル３の内部に挿入した後に、圧着部３３をシールドケーブル１の端末に圧着する（図７（Ｇ）参照）。そして、一連の組立工程を終了する。
【００５１】
［シールドコネクタの作用］
次に、実施形態によるコネクタ１０の作用及び効果を説明する。
【００５２】
図４（Ｃ）を参照して、インナーハウジング２をシェル３の内部に挿入すると、突部３ｂが窪み部２ｄに嵌合することで、シェル３に対して、インナーハウジング２の軸方向の位置決めを容易に規定できる。
【００５３】
図１から図６を参照すると、実施形態によるコネクタ１０は、シェル３に対して、インナーハウジング２の軸方向の位置決めの規定する窪み部２ｄがシェル３の外周を密閉しているので、シェル３の外周から電磁波が漏洩又は進入する心配が無い。
【００５４】
図２又は図３を参照して、インナーハウジング２をシェル３の後部からシェル３の内部に挿入すると、キー３ｋがキー溝２ｋに噛み合うことで、シェル３に対して、インナーハウジング２の軸回りの位置を規定できる。これにより、コネクタ１０を図示しない相手側コネクタと正しく接続できる。
【００５５】
図１又は図２及び図４又は図５を参照すると、シェル３は、シールドケーブル１の端末を圧着する圧着部３３を基端部側に形成しているので、コネクタ１０は、シールドケーブル１の端末を確実に固定できる。
【００５６】
本発明によるシールドコネクタは、外周から窪んだ窪み部をインナーハウジングに設け、外周を閉塞し、外周から内周側に突出した突部をシェルに設け、突部が窪み部に嵌合することで、シェルに対して、インナーハウジングの軸方向の位置決めを規定できる実施形態を開示したが、外周から突出した突部をインナーハウジングに設け、外周を閉塞し、内周から外周に向けて窪んだ窪み部をシェルに設け、突部が窪み部に嵌合することで、シェルに対して、インナーハウジングの軸方向の位置決めを規定してもよい。
【００５７】
本発明によるシールドコネクタは、複数の電線を束ねた多芯のシールドケーブルの端末に取り付ける実施形態を開示したが、本発明によるシールドコネクタは、同軸ケーブルなどの単線のシールドケーブルにも適用できる。
【符号の説明】
【００５８】
１  シールドケーブル
１ａ  芯線
１ｂ  編組線
１ｃ  絶縁シース
１ｗ  電線
２  インナーハウジング
２ｄ  窪み部
３  シェル
３ｂ  突部
１０  コネクタ（シールドコネクタ）
１１  コンタクト
【図１】
2019200898.tif 000003
【図２】
2019200898.tif 000004
【図３】
2019200898.tif 000005
【図４】
2019200898.tif 000006
【図５】
2019200898.tif 000007
【図６】
2019200898.tif 000008
【図７】
2019200898.tif 000009
【図８】
2019200898.tif 000010
【図９】
2019200898.tif 000011